(57)【要約】【課題】ネットワークシステムの信頼性の低下及びコスト高を招くことなくネットワークシステムを大規模化できる技術を提供する。【解決手段】ネットワーク監視システムとして機能する警備システムは、警備センタ装置ＧＣと、複数の警備端末装置ＴＭと、を備える。警備センタ装置ＧＣと各警備端末装置ＴＭとは、中継装置ＮＷを含むインターネットを介して接続される。警備センタ装置ＧＣは、各警備端末装置ＴＭと、当該警備端末装置ＴＭと警備センタ装置ＧＣとの間を結ぶ通信経路を表す経路情報と、を対応づけて記憶する経路情報データベースを備える。警備センタ装置ＧＣは、各警備端末装置ＴＭについて、当該警備端末装置ＴＭと対応づけて経路情報データベースに記憶された通信経路の少なくとも一部を含む監視区間を割り当てる。警備端末装置ＴＭの監視区間は、互いに重複しないように割り当てられる。【選択図】図４
2009100113.tif 000002
【特許請求の範囲】
【請求項１】
センタ装置と複数の端末装置が複数の中継装置から構成されるネットワークを介して接続され、前記複数の端末装置から前記センタ装置までの通信経路における通信の状態を監視するネットワーク監視システムにおいて、
前記端末装置は、
前記センタ装置と前記ネットワークを介して通信を行う端末通信部と、
少なくとも、前記ネットワークにおいて前記センタ装置に付与されているセンタアドレス、および前記センタ装置から受信する監視区間を記憶する記憶部と、
前記センタアドレスを用いて自装置から前記センタ装置までの通信経路を検出する通信経路検出手段と、
前記監視区間における通信異常を検出する通信異常検出手段と、
前記通信異常検出手段が通信異常を検出すると異常信号を出力する出力手段とを有し、
前記センタ装置は、
前記端末装置と前記ネットワークを介して通信を行うセンタ通信部と、
前記複数の端末装置のそれぞれから通信経路を取得し、当該端末装置と対応づけて通信経路を経路情報データベースに登録する経路情報登録手段と、
前記経路情報データベースに登録されている一の端末装置に対応する通信経路に含まれ、他の端末装置の監視区間と重複しない区間を監視区間となるようにした所定規則に従い一の端末装置の監視区間を抽出し、当該監視区間を監視区間データベースに登録する監視区間抽出手段と、
前記監視区間抽出手段にて抽出された各端末装置の監視区間を前記センタ通信部から当該端末装置に送信する送信手段と、
を備えたことを特徴とするネットワーク監視システム。
【請求項２】
請求項１に記載のネットワーク監視システムにおいて、
前記端末装置の出力手段は、前記ネットワークと異なる通信回線を用いて異常信号を前記センタ装置へ通報し、
前記センタ装置は、前記ネットワークと異なる通信回線を介して前記端末装置から異常信号を受信するとその旨を表示する表示部を有するネットワーク監視システム。
【請求項３】
請求項１又は２に記載のネットワーク監視システムにおいて、
前記所定規則は、前記経路情報データベースに登録された一の端末装置に対応する通信経路から前記監視区間データベースにすでに登録されている他の端末装置の監視区間を除いた通信経路を一の端末装置の監視区間として抽出する規則としたネットワーク監視システム。
【請求項４】
請求項１又は２に記載のネットワーク監視システムにおいて、
前記所定規則は、前記経路情報データベースに登録されている全ての通信経路を所定の単位区間に区分し、区分した単位区間ごとに、当該単位区間を含む通信経路を持つ端末装置のうちから１つの端末装置を特定し、特定した端末装置の監視区間に当該単位区間を加えて監視区間を抽出する規則としたネットワーク監視システム。
【請求項５】
請求項１から４のいずれか１項に記載のネットワーク監視システムにおいて、
前記端末装置は、
前記通信経路検出手段が検出した通信経路を前記記憶部に記憶しており、
さらに、前記経路検出手段が新たに通信経路を検出したときに、前記記憶部に記憶している前回の通信経路と一致していないと経路変化ありと判定し、新たに検出した通信経路を前記センタ装置に前記端末通信部から送信させる経路変化通知手段を有するネットワーク監視システム。
【請求項６】
複数の端末装置と複数の中継装置から構成されるネットワークを介して接続されるセンタ装置であって、
前記端末装置と前記ネットワークを介して通信を行うセンタ通信部と、
前記複数の端末装置のそれぞれから通信経路を取得し、当該端末装置と対応づけて通信経路を経路情報データベースに登録する経路情報登録手段と、
前記経路情報データベースに登録されている一の端末装置に対応する通信経路に含まれ、他の端末装置の監視区間と重複しない区間を監視区間となるようにした所定規則に従い一の端末装置の監視区間を抽出し、当該監視区間を監視区間データベースに登録する監視区間抽出手段と、
前記監視区間抽出手段にて抽出された各端末装置の監視区間を前記センタ通信部から当該端末装置に送信する送信手段と、
を有することを特徴としたセンタ装置。
【発明の詳細な説明】
【技術分野】
【０００１】
本発明は、センタ装置と、インターネットを介してセンタ装置に接続された複数の端末装置と、を含むシステムにおけるセンタ装置と端末装置との間の通信の状態を監視するネットワーク監視システム及びセンタ装置に関する。
【背景技術】
【０００２】
警備システムにおいては、警備対象である建物内に設置された警備端末装置が、ネットワークを介して、遠隔の地に設置された警備センタ装置と通信を行う。例えば、警備端末装置は、警備対象の建物内に設置された防犯センサなどによって検出された異常信号を取得し、警備センタ装置へ送信する。
【０００３】
このような警備システムの警備端末装置と警備センタ装置との間の通信において、専用回線や公衆電話回線などよりも通信料が安価であるインターネットを通信媒体として利用したいというユーザの要望が高まっている。
【０００４】
しかしながら、インターネットは、専用回線や公衆電話回線などの、通信の安定性保証のためにインフラ整備された通信媒体と比較して、通信障害が発生しやすく不安定であり、信頼性が低い。したがって、警備システムにおける通信媒体としてインターネットを用いる場合、専用回線や公衆電話回線などを用いる場合よりも高い頻度で、警備端末装置と警備センタ装置との間の通信状態を監視する処理を行う必要がある。
【０００５】
特許文献１には、警備端末装置及び警備センタ装置が一定時間ごとに互いに定時発信信号を送受信することで、警備端末装置と警備センタ装置との間の通信状態を監視する遠隔監視警備システムが記載されている。
【０００６】
特許文献２に記載の技術では、管理装置、サブ管理装置、及び被管理装置を含むネットワークにおいて、サブ管理装置が被管理装置の通信状態を監視し、管理装置がサブ管理装置の通信状態を監視することで、監視負荷の分散化を図る分散型のネットワーク管理が行われる。
【０００７】
【特許文献１】特開２００４−３８８１６号公報
【特許文献２】特開２００４−２２１９３０号公報
【発明の開示】
【発明が解決しようとする課題】
【０００８】
特許文献１に記載の技術では、複数の警備端末装置それぞれと警備センタ装置との間の通信状態を警備センタ装置が集中的に監視する。したがって、警備端末装置の数が増加すると、ネットワーク監視のための通信信号が警備センタ装置付近のネットワーク区間に集中し、警備センタ装置付近のネットワーク区間において輻輳が生じやすくなる。
【０００９】
また、特許文献２に記載の技術では、ネットワーク監視の負荷の分散化は行われるが、各サブ管理装置に管理される被管理装置の数が増加すると、やはり、サブ管理装置付近のネットワーク区間に通信信号が集中し、サブ管理装置付近のネットワーク区間において輻輳が生じやすくなる。
【００１０】
特許文献１及び２に記載の技術のように、ネットワークに含まれる特定の装置が通信状態を監視する技術において、監視装置付近のネットワーク区間にかかる負荷を軽減するためには、例えば、通信状態の監視のための通信処理を行う時間間隔を長くすることが考えられる。しかしながら、監視のための通信処理を行う時間間隔を長くすると、ネットワークシステムの信頼性は低下する。また、このようなネットワークシステムの信頼性の低下に対処するために、ネットワークの回線を増強したり、監視装置の数を増やしたりすると、ネットワークシステムを構築するためのコストが高くなる。
【課題を解決するための手段】
【００１１】
本発明に係るネットワーク監視システムは、センタ装置と複数の端末装置が複数の中継装置から構成されるネットワークを介して接続され、前記複数の端末装置から前記センタ装置までの通信経路における通信の状態を監視するネットワーク監視システムにおいて、前記端末装置は、前記センタ装置と前記ネットワークを介して通信を行う端末通信部と、少なくとも、前記ネットワークにおいて前記センタ装置に付与されているセンタアドレス、および前記センタ装置から受信する監視区間を記憶する記憶部と、前記センタアドレスを用いて自装置から前記センタ装置までの通信経路を検出する通信経路検出手段と、前記監視区間における通信異常を検出する通信異常検出手段と、前記通信異常検出手段が通信異常を検出すると異常信号を出力する出力手段と、を有し、前記センタ装置は、前記端末装置と前記ネットワークを介して通信を行うセンタ通信部と、前記複数の端末装置のそれぞれから通信経路を取得し、当該端末装置と対応づけて通信経路を経路情報データベースに登録する経路情報登録手段と、前記経路情報データベースに登録されている一の端末装置に対応する通信経路に含まれ、他の端末装置の監視区間と重複しない区間を監視区間となるようにした所定規則に従い一の端末装置の監視区間を抽出し、当該監視区間を監視区間データベースに登録する監視区間抽出手段と、前記監視区間抽出手段にて抽出された各端末装置の監視区間を前記センタ通信部から当該端末装置に送信する送信手段と、を備えることを特徴とする。
【００１２】
本発明に係るネットワーク監視システムにおいて、前記端末装置の出力手段は、前記ネットワークと異なる通信回線を用いて異常信号を前記センタ装置へ通報し、前記センタ装置は、前記ネットワークと異なる通信回線を介して前記端末装置から異常信号を受信するとその旨を表示する表示部を有することが好ましい。
【００１３】
本発明に係るネットワーク監視システムにおいて、前記所定規則は、前記経路情報データベースに登録された一の端末装置に対応する通信経路から前記監視区間データベースにすでに登録されている他の端末装置の監視区間を除いた通信経路を一の端末装置の監視区間として抽出する規則とすることが好ましい。
【００１４】
また、本発明に係るネットワーク監視システムにおいて、前記所定規則は、前記経路情報データベースに登録されている全ての通信経路を所定の単位区間に区分し、区分した単位区間ごとに、当該単位区間を含む通信経路を持つ端末装置のうちから１つの端末装置を特定し、特定した端末装置の監視区間に当該単位区間を加えて監視区間を抽出する規則としてよい。
【００１５】
また、本発明に係るネットワーク監視システムにおいて、前記端末装置は、前記通信経路検出手段が検出した通信経路を前記記憶部に記憶しており、さらに、前記経路検出手段が新たに通信経路を検出したときに、前記記憶部に記憶している前回の通信経路と一致していないと経路変化ありと判定し、新たに検出した通信経路を前記センタ装置に前記端末通信部から送信させる経路変化通知手段を有することが好ましい。
【００１６】
本発明に係るセンタ装置は、複数の端末装置と複数の中継装置から構成されるネットワークを介して接続されるセンタ装置であって、前記端末装置と前記ネットワークを介して通信を行うセンタ通信部と、前記複数の端末装置のそれぞれから通信経路を取得し、当該端末装置と対応づけて通信経路を経路情報データベースに登録する経路情報登録手段と、前記経路情報データベースに登録されている一の端末装置に対応する通信経路に含まれ、他の端末装置の監視区間と重複しない区間を監視区間となるようにした所定規則に従い一の端末装置の監視区間を抽出し、当該監視区間を監視区間データベースに登録する監視区間抽出手段と、前記監視区間抽出手段にて抽出された各端末装置の監視区間を前記センタ通信部から当該端末装置に送信する送信手段と、を有することを特徴とする。
【発明の効果】
【００１７】
本発明によると、センタ装置に接続される端末装置の数が増加しても、通信状態の監視処理において特定の装置又はネットワーク区間に通信が集中することを防ぐことができるため、システムの信頼性の低下及びコスト高を招くことなくシステムを大規模化することができる。
【発明を実施するための最良の形態】
【００１８】
図１は、本発明の１つの実施形態のネットワーク監視システムとして機能する警備システムの構成の例を示すブロック図である。図１を参照し、警備システム１は、インターネット３を介して接続された警備センタ装置４と警備端末装置２−１，２−２，２−３，・・・（以下、「警備端末装置２」と総称する場合もある）とから構成される。
【００１９】
警備端末装置２は、一般的に、警備対象である個々の建物内に設置される。警備センタ装置４は、管制員が駐在する警備会社に設置される。
【００２０】
インターネット３は、複数のサブネットワークから構成される。各サブネットワークには、ルータなどの中継装置５−１，５−２，５−３，・・・（以下、「中継装置５」と総称する場合もある）が設置される。中継装置５は、警備端末装置２、警備センタ装置４、及びサブネットワークの間を予め定められた設定に従って中継することで、警備端末装置２と警備センタ装置４との間を結ぶ通信経路を形成する。
【００２１】
図１に示す例では、警備端末装置２−１と警備センタ装置４との間を結ぶ通信経路は、警備端末装置２−１、中継装置５−４，５−２，５−１、及び警備センタ装置４によって形成され、警備端末装置２−２と警備センタ装置４との間を結ぶ通信経路も同様に、警備端末装置２−２、中継装置５−４，５−２，５−１、及び警備センタ装置４によって形成される。また、警備端末装置２−３と警備センタ装置４との間を結ぶ通信経路は、警備端末装置２−３、中継装置５−５，５−２，５−１、及び警備センタ装置４によって形成される。さらに、警備端末装置２−４と警備センタ装置４との間を結ぶ通信経路は、警備端末装置２−４、中継装置５−６，５−３，５−１、警備センタ装置４によって形成される。
【００２２】
なお、図１において実線で示される装置間の接続は、ある時点において通信データが通る論理的な経路を示し、警備端末装置２、警備センタ装置４、及び中継装置５の間に存在するすべての物理的な接続を表すものではない。例えば、図１では、中継装置５−４と中継装置５−５との間を結ぶ実線は示されておらず、中継装置５−４から直接、中継装置５−５へ通信データが通る経路は存在しないが、中継装置５−４と中継装置５−５とが物理的に接続されている場合もある。
【００２３】
中継装置５が受信したパケットをどのような場合にどの装置に対して送信するかを規定する設定など、中継装置５の設定は、サブネットワークの運営者などによって変更されることがある。中継装置５の設定が変更されると、警備端末装置２と警備センタ装置４との間を結ぶ通信経路は変化する場合がある。例えば、図１を参照し、中継装置５−４について、警備端末装置２−１から警備センタ装置４へ送信された通信データを、中継装置５−２に対して送信するように設定されている。この中継装置５−４の設定が変更されて、中継装置５−２ではなく中継装置５−５へ送信するように設定されたとすると、警備端末装置２−１から警備センタ装置４へ送信された通信データは、中継装置５−４，５−２，５−１の順に通る代わりに、中継装置５−４，５−５，５−２，５−１の順に通ることになる。
【００２４】
また、中継装置５は、ＩＣＭＰ（Internet Control Message Protocol）のEcho Requestパケットを受信すると、そのEcho Requestパケットの送信元に対して、ＩＣＭＰのEcho Replyパケットを返信する機能を備える。
【００２５】
なお、以下の説明において、図１において括弧の中に示す符号は、インターネット３上で各装置を識別するためのＩＰアドレスを表すものとする。また、図１において大括弧の中に示す符号は、警備センタ装置４において各警備端末装置２を識別するために各警備端末装置２に予め付与された端末ＩＤ（識別情報）を表すものとする。図１を参照すると、警備センタ装置４のＩＰアドレス（以下、センタアドレスと称する場合もある）はＧＣであり、中継装置５−１，５−２，５−３，５−４，５−５，５−６のＩＰアドレスは、それぞれ、ＮＷ１，ＮＷ２，ＮＷ３，ＮＷ４，ＮＷ５，ＮＷ６であり、警備端末装置２−１，２−２，２−３，２−４のＩＰアドレスは、それぞれ、ＴＭ１，ＴＭ２，ＴＭ３，ＴＭ４である。また、警備端末装置２−１，２−２，２−３，２−４の端末ＩＤは、それぞれ、１，２，３，４である。
【００２６】
また、以下の説明において、通信経路のうち、任意の一対の装置で区切られる部分、又は通信経路の全部を「区間」と称する。
【００２７】
なお、実際の警備システム１は、図１に例示するよりも多くの警備端末装置２及び中継装置５から構成されていてよい。例えば、警備システム１は、数千台から数万台の警備端末装置２を含む場合がある。また、通常、インターネット３には、多数の中継装置５が含まれる。
【００２８】
図２は、警備端末装置２の構成の例を示すブロック図である。
【００２９】
図２を参照し、警備端末装置２は、センサＬＡＮ（Local Area Network）７を介して各種のセンサ６と接続される。センサ６は、警備端末装置２が設置される警備対象の建物内、又は建物の出入口などに設けられる。センサ６は、例えば、赤外線センサ、マグネットセンサ、及びガラスセンサなど、警備対象の建物への侵入行為を検知すると検知信号を出力する防犯センサであってよい。また例えば、センサ６は、熱センサ、煙センサ、及びガスセンサなどの、火災及びガス漏れなどを検知すると検知信号を出力する防災センサであってもよい。
【００３０】
警備端末装置２は、制御部２１、記憶部２２、センサＬＡＮインターフェース２３、端末通信部であるＬＡＮインターフェース２４、副回線インターフェース２５、及び報知部２６を備える。
【００３１】
制御部２１は、記憶部２２、センサＬＡＮインターフェース２３、ＬＡＮインターフェース２４、副回線インターフェース２５、及び報知部２６と接続される。制御部２１は、経路検出手段２１１、監視区間設定手段２１２、監視区間更新手段２１３、通信異常検出手段２１４、通信異常出力手段２１５、及び警報送信手段２１６を備える。制御部２１は、ＭＣＵ（Micro Control Unit）、ＣＰＵ（Central Processing Unit）又はＤＳＰ（Digital Signal Processor）などの演算装置によって実現できる。制御部２１の各手段で行われる処理の手順を記述したプログラムを記憶部２２に記憶させておき、上述のような演算装置に当該プログラムを読み出しさせて実行させることで、制御部２１を実現できる。
【００３２】
記憶部２２は、警備端末装置２で行われる処理に必要な情報や、制御部２１で行われる処理の手順を記述したプログラムなどを記憶する。記憶部２２に記憶される情報の例としては、警備端末装置２と警備センタ装置４との間の通信経路を表す経路情報、警備端末装置２に割り当てられた監視区間を表す監視区間情報、警備端末装置２の端末ＩＤ、センタアドレスＧＣ、警備センタ装置４の携帯電話番号、警備端末装置２の動作状態、及び時刻情報などが挙げられる。記憶部２２は、ＥＥＰＲＯＭ（Electrically Erasable Programmable Read Only Memory）及びフラッシュメモリなどの記憶装置によって実現される。
【００３３】
センサＬＡＮインターフェース２３は、警備端末装置２とセンサＬＡＮ７とを接続するインターフェース回路である。制御部２１は、センサＬＡＮインターフェース２３を用いてセンサ６からの検知信号を受信する。
【００３４】
ＬＡＮインターフェース２４は、警備端末装置２とインターネット３とを接続するインターフェース回路である。警備端末装置２は、ＬＡＮインターフェース２４を用いて、警備センタ装置４及び中継装置５とインターネット３を介した通信を行う。
【００３５】
副回線インターフェース２５は、警備端末装置２と携帯電話網とを接続するインターフェース回路である。警備端末装置２は、副回線インターフェース２５を用いて、警備センタ装置４と携帯電話網８を介した通信を行う。
【００３６】
なお、副回線インターフェース２５は、インターネット３と異なる通信媒体を介した警備センタ装置４との通信を可能とするインターフェースであれば、携帯電話網８に対応するインターフェース回路でなくてもよい。例えば、副回線インターフェース２５は、ＰＨＳ（Personal Handyphone System）網、又は有線の公衆電話網などを介した通信を可能とするインターフェース回路であってよい。
【００３７】
報知部２６は、ブザー、ＬＥＤ（Light Emitting Diode）、液晶ディスプレイなどで構成され、所定の異常信号が入力されると、音、光、文字情報により通信異常の発生を利用者に報知する。
【００３８】
通信経路検出手段２１１は、センタアドレスＧＣが指定されると、センタアドレスＧＣを用いて通信を行い、自装置２から警備センタ装置４までの通信経路を検出する。
【００３９】
具体的には、センタアドレスＧＣを宛先に設定し、ホップ数（パケットデータが経由できる中継装置５の数）を１から順次増加させつつ、該ホップ数を指定したEcho Requestパケットを送信し、対応するEcho Replyパケットを順次受信する。この通信により、指定ホップ数に該当する中継装置５からのEcho Replyパケット又は警備センタ装置４からのEcho Replyパケットが受信される。Echo Replyパケットの送信は警備センタ装置４からのEcho Replyパケットを受信するまで繰り返される。そして、受信したEcho Replyパケットに含まれる中継装置５又は警備センタ装置４のＩＰアドレスを、ホップ数の小さい順に並べて、これの先頭に自装置のＩＰアドレスを加えたＩＰアドレスの列を生成する。かかるＩＰアドレスの列情報が、通信経路を表す経路情報となる。
【００４０】
通信経路検出手段２１１の処理は、UNIX（登録商標） OS（Operating System）などで用いられる「traceroute」コマンド又はWindows（登録商標）OSで用いられる「tracert」コマンドを用いて実現できる。
【００４１】
監視区間設定手段２１２は、監視区間の初期設定に関する処理を行い、監視区間更新手段２１３は、監視区間の更新設定に関する処理を行う。これらの処理のために、監視区間設定手段２１２及び監視区間更新手段２１３は、それぞれ、通信経路検出手段２１１を制御して通信経路を検出し、検出された通信経路を警備センタ装置４へ送信し、警備センタ装置４から受信した監視区間の情報を記憶部２２に記憶させる。
【００４２】
監視区間は、警備センタ装置４において通信経路から抽出される区間であり、監視区間の始点装置は自装置２、終点装置は自装置２から警備センタ装置４までの通信経路に存在する中継装置５のうちの１つ又は警備センタ装置４である。警備センタ装置４から受信する監視区間の情報は、終点装置のＩＰアドレスである。
【００４３】
通信異常検出手段２１４は、記憶部２２から監視区間の情報を読み出して、読み出した情報が表す監視区間をポーリングすることにより該監視区間における通信異常を検出する。
【００４４】
ポーリングは、具体的には、監視区間の情報として読み出した終点装置のＩＰアドレスを宛先に設定したEcho Requestパケットを送信して、終点装置からのEcho Replyパケットの受信を確認する処理である。予め定められたタイムアウト時間（例えば、２０秒）内に終点装置からのEcho Replyパケットを受信しなければ通信異常を検出したと判断し、受信すれば通信は正常であると判断する。
【００４５】
ポーリングの処理は、UNIX（登録商標） OS又はWindows（登録商標）OSなどで用いられる「ping」コマンドを用いて実現できる。
【００４６】
通信異常出力手段２１５は、通信異常の発生を表す異常信号を警備センタ装置４及び報知部２６へ出力する。そのために、通信異常出力手段２１５は、記憶部２２から端末ＩＤ及び警備センタ装置４の携帯電話番号を読み出して端末ＩＤを含めた異常信号を生成し、読み出した携帯電話番号を指定し、生成した異常信号を、副回線インターフェース及び携帯電話網８を介して送信する。また、通信異常出力手段２１５は、別の所定の異常信号を報知部２６へ出力して通信異常の発生を報知させる。通信異常出力手段２１５による処理は、通信異常検知手段２１４が通信異常を検出したときに行われる。
【００４７】
警報送信手段２１６は、各種のセンサ６から検知信号を受信すると、ＬＡＮインターフェース２４及びインターネット３を介して、警備対象に異常が発生したことを表す警報信号を警備センタ装置４へ送信する。なお、警備端末装置２は、警備セット状態及び警備解除状態の２つの動作状態を有する。警備セット状態は、センサ６からの検知信号を受信した場合に、警報送信手段２１６が警備センタ装置４へ警報信号の送信処理を行う動作状態である。警備解除状態は、センサ６からの検知信号を受信した場合であっても、警報送信手段２１６が警備センタ装置４へ警報信号の送信処理を行わない動作状態である。警備端末装置２は、図示しないモード切替部を備え、ユーザは、このモード切替部を用いて、警備端末装置２の動作状態を設定することができる。
【００４８】
さらに、警備端末装置２は、図示しない時計手段及びタイマ手段を備える。警備端末装置２は、時計手段によって現在時刻を取得でき、タイマ手段によって所定間隔の時間を計時できる。
【００４９】
図３は、警備センタ装置４の構成の例を示すブロック図である。警備センタ装置４は、一般的なサーバ・コンピュータによって実現される。警備センタ装置４は、制御部４１、記憶部４２、入力部４３、センタ通信部であるＬＡＮインターフェース４４、副回線インターフェース４５、及び表示部４６を備える。
【００５０】
制御部４１は、記憶部４２、入力部４３、センタ通信部であるＬＡＮインターフェース４４、副回線インターフェース４５、及び表示部４６と接続される。制御部４１は、経路情報登録手段４１０、監視区間抽出手段４１１、監視区間再抽出手段４１２、端末情報削除手段４１３、監視区間送信手段４１４、通信異常処理手段４１５、及び警報処理手段４１６を備える。制御部４１は、コンピュータのＣＰＵなどの演算装置で実現される。制御部４１の各手段で行われる処理の手順を記述したプログラムを記憶部４２に記憶させておき、コンピュータのＣＰＵに当該プログラムを読み出しさせて実行させることで、制御部４１を実現できる。
【００５１】
記憶部４２は、制御部４１で行われる処理に必要な情報や、制御部４１で行われる処理の手順を記述したプログラムなどを記憶する。記憶部４２は、半導体メモリ及びＨＤＤ（Hard Disk Drive）などの記憶装置によって実現される。
【００５２】
図３を参照すると、記憶部４２は、経路情報データベース４２１及び監視区間データベース４２２を備える。
【００５３】
経路情報データベース４２１は、各警備端末装置２の端末ＩＤと、その警備端末装置２と警備センタ装置４との間を結ぶ通信経路を表す経路情報と、を対応づけて記憶するデータベースである。
【００５４】
図４（ａ）は、警備システム１において各装置が図１に例示するように接続されている場合に、経路情報データベース４２１に記憶されるデータ内容の一例を示す。また、図４（ａ）の例において、経路情報データベース４２１は、複数のレコードを有し、各レコードは、１つの警備端末装置２の端末ＩＤと経路情報との組となっている。
【００５５】
監視区間データベース４２２は、各警備端末装置２の端末ＩＤと、その警備端末装置２の通信経路から抽出された監視区間を表す情報と、を対応づけて記憶するデータベースである。
【００５６】
図４（ｂ）は、図４（ａ）に例示する内容のデータが経路情報データベース４２１に記憶されている場合に、監視区間データベース４２２に記憶されるデータ内容の一例を示す。図４（ｂ）において、監視区間データベース４２２は、複数のレコードを有し、各レコードは、１つの警備端末装置２の端末ＩＤと監視区間との組となっている。図４（ｂ）において、各監視区間は、通信経路において隣り合う装置のＩＰアドレスの組（単位区間）の集合として表されている。これは、監視区間の重複を比較しやすくするための表現である。経路情報データベース４２１の経路情報と同様にＩＰアドレスの順列で表してもよい。
【００５７】
図４（ｃ）は、図４（ｂ）に例示する内容のデータが監視区間データベース４２２に記憶されている場合の、各警備端末装置２に割り当てられた監視区間の模式図である。図４（ｃ）を参照し、実線４２２５は、警備端末装置２−１の監視区間を表す。また、実線４２２６，４２２７，４２２８は、それぞれ、警備端末装置２−２，２−３，２−４の監視区間を表す。図４（ｂ）及び図４（ｃ）を参照すると、警備端末装置２−１，２−２，２−３，２−４の監視区間は、互いに重複しない。
【００５８】
再び図３を参照し、記憶部４２には、さらに、図示しない警備対象データベースが記憶される。警備対象データベースは、各警備端末装置２の端末ＩＤに対応づけて、その警備端末装置２が設置された建物の住所や、その建物の所有者の連絡先など、その警備端末装置２の警備対象に関連する情報を記憶するデータベースである。
【００５９】
入力部４３は、キーボード及びマウスなどの入力装置によって実現される。管制員は、入力部４３を用いて、警備センタ装置４に対する指示を入力できる。
【００６０】
ＬＡＮインターフェース４４は、警備センタ装置４とインターネット３とを接続するインターフェース回路である。警備センタ装置４は、ＬＡＮインターフェース４４を用いて、警備端末装置２及び中継装置５とのインターネット３を介した通信を行う。
【００６１】
副回線インターフェース４５は、警備センタ装置４と携帯電話網８とを接続するインターフェース回路である。警備センタ装置４は、副回線インターフェース４５を用いて、警備端末装置２と携帯電話網８を介した通信を行う。
【００６２】
なお、図２を参照して説明した警備端末装置２の副回線インターフェース２５と同様に、警備センタ装置４の副回線インターフェース４５は、インターネット３と異なる通信媒体を用いるものであればよい。警備端末装置２の副回線インターフェース２５及び警備センタ装置４の副回線インターフェース４５は、共通の通信媒体を用いるものとする。
【００６３】
表示部４６は、警備端末装置２から受信された警報及び通信異常の通報に関する情報を表示する。表示部４６は、液晶ディスプレイ又はＣＲＴ（Cathode Ray Tube）ディスプレイなどによって実現される。
【００６４】
経路情報登録手段４１０は、警備端末装置２のそれぞれから当該警備端末装置２の端末ＩＤ及び当該警備端末装置２の通信経路検出手段２１１が検出した通信経路を取得し、取得した端末ＩＤ及び通信経路を対応づけて経路情報データベース４２１に追加登録又は登録更新する。
【００６５】
監視区間抽出手段４１１、監視区間再抽出手段４１２、及び端末情報削除手段４１３は、経路情報データベース４２１に登録されている警備端末装置２の通信経路から、当該警備端末装置２の監視区間を抽出して、抽出した監視区間を当該端末の端末ＩＤと対応づけて監視区間データベース４２２に追加登録又は登録更新する。監視区間の抽出は、各警備端末装置２の監視区間が互いに重複しないよう抽出する所定規則に従って行われる。
【００６６】
監視区間抽出手段４１１は、経路情報登録手段４１０により経路情報データベース４２１に新たな警備端末装置２の通信経路が追加登録されたとき（新規接続時）に当該警備端末装置２の監視区間を抽出する。監視区間再抽出手段４１２は、経路情報登録手段４１０により経路情報データベース４２１において既存の警備端末装置２の通信経路が登録変更されたとき（経路変化時）にすべての警備端末装置２の監視区間を再抽出する。端末情報削除手段４１３は、入力部４３を介して端末削除指示が入力されたとき（端末撤去時）に端末削除指示に応じて経路情報データベース４２１から既存のレコードを削除するとともに、残りのすべての警備端末装置２の監視区間を再抽出する。
【００６７】
監視区間送信手段４１４は、監視区間抽出手段４１１、監視区間再抽出手段４１２、及び端末情報削除手段４１３が抽出した各警備端末装置２の監視区間の情報を、ＬＡＮインターフェース４４を用いて当該警備端末装置２へ送信する。
【００６８】
通信異常処理手段４１５は、警備端末装置２から通信異常を通報する異常信号を受信すると、当該警備端末装置２に通信異常が発生した旨を表示部４６に表示する。通信異常処理手段４１５は、さらに、監視区間データベース４２２を参照して異常信号を送信した警備端末装置２の監視区間内に存在する中継装置５を特定し、特定した中継装置５を監視して通信異常の有無を表示部４６に表示したり、経路情報データベース４２１を参照して通信異常が発生している中継装置５を介して警備センタ装置４と通信する別の警備端末装置２を特定し、特定した警備端末装置２を監視して通信異常の有無を表示部４６に表示したりすることもできる。
【００６９】
警報処理手段４１６は、警備端末装置２から警備対象における異常（侵入、火災など）を表す警報信号を受信した場合に、その警報信号の内容に応じた処理を行う。
【００７０】
また、図示しないが、警備センタ装置４の制御部４２は、ＬＡＮインターフェース４４を介して警備端末装置２から受信したEcho Requestパケットに応じてEcho Replyパケットを返信する応答手段を備える。
【００７１】
以下、警備システム１におけるネットワーク監視処理について説明する。
【００７２】
図５は、警備端末装置２において行われる処理の手順の例を示すフローチャートである。警備端末装置２をインターネット３及びセンサＬＡＮ７と接続し、電源を投入すると、警備端末装置２の各部及び各手段が動作を開始し、図５に例示するフローチャートの処理が開始される。
【００７３】
まず、初期化処理が行われる（ステップＳ２０）。初期化処理において、制御部２１は、監視実行時刻の初期値として現在時刻を記憶部２２に記憶させ、経路変化確認時刻の初期値として現在時刻に２４時間だけ加算した時刻を記憶部２２に記憶させる。また、センサＬＡＮインターフェース２３は、センサＬＡＮ７との通信を確立する。ＬＡＮインターフェース２４は、インターネット３との通信を確立する。インターネット３との通信確立に伴い、警備端末装置２にはＩＰアドレスが付与される。制御部２１は、付与されたＩＰアドレスを記憶部２２に記憶させる。
【００７４】
以上の初期化処理が終了すると、制御部２１は、記憶部２２を参照し、監視区間情報がすでに記憶部２２に記憶されているか否かを判定する（ステップＳ２１）。記憶部２２に監視区間情報が記憶されていない場合、処理は、監視区間設定手段２１２による監視区間設定処理（ステップＳ２２）へ進み、記憶部２２に監視区間情報が記憶されている場合、処理はステップＳ２３へ進む。例えば、警備端末装置２が新規に設置されたときなどの場合は、記憶部２２には監視区間情報が記憶されていない。また、例えば、警備端末装置２のメンテナンスなどが行われる場合など、すでに監視区間が設定されている警備端末装置２が再起動された場合は、記憶部２２に監視区間情報が記憶されている。
【００７５】
詳細は図７を参照して後述するが、ステップＳ２２の監視区間設定処理は、通信経路検出手段２１１にて検出した経路情報を警備センタ装置４に送信し、当該経路情報に基づいて警備センタ装置４が抽出した監視区間情報を取得し、記憶部２２に記憶させる処理である。
【００７６】
このように、警備端末装置２は、記憶部２２に監視区間が記憶された状態となれば、通常の処理ループを実行することになる。
【００７７】
ステップＳ２３では、制御部２１は、センサ６から検知信号が入力されているか否かを判定する。検知信号が入力されている場合、制御部２１は、記憶部２２を参照して警備端末装置２の動作状態を確認し、動作状態が警備セットモードであれば、警報送信手段２１６により警報送信処理（ステップＳ２４）を行う。センサ６から検知信号が入力されていない場合、又は警備端末装置２の動作状態が警備解除モードである場合、ステップＳ２３の判定の結果ＮＯに進み、警報送信処理（ステップＳ２４）を行わずに処理はステップＳ２５へ進む。
【００７８】
ステップＳ２４では、警報送信手段２１６は、警備対象における異常発生を表す情報及び警備端末装置２の端末ＩＤを含む警報信号を生成し、ＬＡＮインターフェース２４及びインターネット３を介して、生成した警報信号を警備センタ装置４へ送信する。
【００７９】
ステップＳ２５では、制御部２１は、現在時刻と、記憶部２２に記憶された監視実行時刻と、を比較して監視実行時刻が到来しているか否かを確認する。監視実行時刻が到来していれば（ステップＳ２５にてＹＥＳ）、処理はステップＳ２６へ進む。ステップＳ２６では、通信異常検出手段２１４により、記憶部２２に記憶された終点装置のＩＰアドレスを指定してポーリングを行い、監視区間における通信状異常を検出する。
【００８０】
そして、ポーリング後、制御部２１は、記憶部２２に記憶されている監視実行時刻の所定時間後の時刻を新たな監視実行時刻として記憶部２２に記憶させ、処理はステップＳ２７に進む。ここで、所定時間は、例えば３０秒に設定される。
【００８１】
ステップＳ２７では、制御部２１は、ステップＳ２６において、通信異常が検出された場合（ステップＳ２７でＹＥＳ）、処理をステップＳ２８へ進め、ステップＳ２６において、通信異常が検出されなかった場合（ステップＳ２７でＮＯ）、処理をステップＳ２９に進める。
【００８２】
ステップＳ２８では、警備センタ装置４及び報知部２６に対する異常信号の出力処理が行われる。ステップＳ２８で、通信異常出力手段２１５は、警備端末装置２の端末ＩＤを携帯電話網８経由で警備センタ装置４へ送信して通信異常を通知する。ステップＳ２６で通信異常が検出されたということは、警備センタ装置４とのインターネット３を介した通信が不可能であるということであるが、このような場合であっても、インターネット３と異なる通信媒体を用いることにより、警備センタ装置４に対する即時の異常信号送信が可能となる。
【００８３】
さらに、通信異常出力手段２１５は、別の異常信号として、ブザーを鳴動制御する信号、ＬＥＤを点灯制御する信号、及び液晶ディスプレイに通信異常の発生を表す文字情報を表示制御する信号などの制御信号を報知部２６に出力する。報知部２６は、異常信号に応じた報知を行う。この報知を受けた利用者は、ＬＡＮケーブルの断線確認などの対処ができ、早期復旧の効果が得られる。
【００８４】
ステップＳ２９では、制御部２１は、現在時刻と、記憶部２２に記憶された経路変化確認時刻と、を比較して経路変化確認時刻が到来しているか否かを確認する。経路変化確認時刻が到来していれば（ステップＳ２９にてＹＥＳ）、処理はステップＳ３０に進み、経路変化確認時刻が到来していなければ（ステップＳ２９にてＮＯ）処理はステップＳ２３へ戻る。
【００８５】
ステップＳ３０では、警備端末装置２と警備センタ装置４との間を結ぶ通信経路の変化の有無を確認し、通信経路に変化がある場合に警備端末装置２の監視区間を更新する処理が行われる。ステップＳ３０で行われる処理の詳細な手順については後述する。ステップＳ３０の処理の終了後、制御部２１は、記憶部２２に記憶されている経路変化確認時刻の２４時間後の時刻を新たな経路変化確認時刻として記憶部２２に記憶させる。その後、処理は再びステップＳ２３へ戻る。
【００８６】
なお、図５を参照した上述の説明では、警報送信に関する処理（ステップＳ２３，Ｓ２４）は、ループ処理（ステップＳ２３〜Ｓ３０）の一部として説明した。しかしながら、警報送信に関する処理は、センサ６からの検知信号の入力をトリガとして行われる割り込み処理であってよい。つまり、警報送信に関する処理は、ループ処理のいずれの時点であっても、警報送信手段２１６が異常検知信号を受信した時点で実行されるものであってよい。
【００８７】
また、図５を参照して以上で説明した処理において、通信異常出力手段２１５は、通信異常信号の出力処理（ステップＳ２８）を、さらに、記憶部２２に対して行ってもよい。すなわち、通信異常を検出した旨を表す情報を記憶部２２に記憶させる。この場合、警報送信処理（ステップＳ２４）において、警報送信手段２１６は、記憶部２２を参照し、通信異常の検出を表す情報が記憶部２２に記憶されていなければ、ＬＡＮインターフェース２４及びインターネット３を介して警報信号を警備センタ装置４に対して送信し、記憶されていれば、副回線インターフェース２５及びインターネット３と異なる通信媒体を介して警報信号を警備センタ装置４に送信するようにすることができる。このようにすることで、警備端末装置２と警備センタ装置４との間のインターネット３を介した通信において異常が発生している場合であっても、インターネット３と異なる通信媒体を介して、通信異常からの復旧を待たずに警備端末装置２は、警備センタ装置４に対して警報信号を送信できる。
【００８８】
図６は、警備センタ装置４において行われる処理の手順の例を示すフローチャートである。警備センタ装置４をインターネット３と接続し、電源を投入すると、所定の初期化処理が行われ、警備センタ装置４の各部及び各手段が動作を開始し、図６に例示するフローチャートの処理が開始される。
【００８９】
まず、ステップＳ４０で、制御部４１は、警備端末装置２から警報信号を受信しているか否か確認する。警報信号を受信している場合（ステップＳ４０にてＹＥＳ）、処理はステップＳ４１に進み、受信していない場合（ステップＳ４０にてＮＯ）、ステップＳ４１の処理を行わずにステップＳ４２に進む。
【００９０】
ステップＳ４１では、警報処理手段４１６は、受信した警報信号に関連する情報を表示部４６に表示させる処理を行う。ステップＳ４１で、警報処理手段４１６は、ステップＳ４０で受信した警報信号に含まれている端末ＩＤを基に警備対象データベースから警備対象の情報を検索して、警備対象の情報、及び警報信号を受信した旨を表す情報を含む警報情報を表示部４６に表示させる。警備センタに駐在する管制員は、表示部４６に表示された警報情報を確認することで、警備対象の建物への警備員の派遣指示などの対処を行うことができる。
【００９１】
ステップＳ４２で、制御部４１は、経路通知信号を警備端末装置２から受信しているか否かを確認する。この経路通知信号は、図５を参照して説明した警備端末装置２の処理において、未だ監視区間の抽出がなされていない警備端末装置２が監視区間設定処理（ステップＳ２２）を行う際に、警備センタ装置４に対して送信する信号であり、この信号は、当該警備端末装置２から警備センタ装置４までの通信経路を含む。経路通知信号を受信している場合（ステップＳ４２にてＹＥＳ）、監視区間抽出処理（ステップＳ４３）が行われ、受信していない場合（ステップＳ４２にてＮＯ）、監視区間抽出処理を行わずに処理はステップＳ４４に進む。
【００９２】
ステップＳ４３で、監視区間抽出手段４１１は、ステップＳ４２で受信した経路通知信号の送信元の警備端末装置２について監視区間を抽出する処理を行う。
【００９３】
図７は、監視区間の新規抽出に関して、警備センタ装置４及び警備端末装置２のそれぞれが行う処理の手順の例を示すフローチャートである。
【００９４】
図７を参照し、警備端末装置２の処理（ステップＳ２２１〜Ｓ２２４）は、図５に例示するフローチャートの監視区間設定処理（ステップＳ２２）に対応し、警備センタ装置４の処理（ステップＳ４３１〜Ｓ４３４）は、図６に例示するフローチャートの監視区間抽出処理（ステップＳ４３）に対応する。
【００９５】
図７を参照し、ステップＳ２２１で、警備端末装置２の監視区間設定手段２１２は、記憶部２２からセンタアドレスＧＣを読み出し、このＩＰアドレスを指定して通信経路検出手段２１１を実行する。センタアドレスＧＣを指定された通信経路検出手段２１１は、自装置２から警備センタ装置４までの通信経路を検出し、検出した通信経路を表す経路情報を生成する。
【００９６】
通信経路検出処理（ステップＳ２２１）の後、警備端末装置２の監視区間設定手段２１２は、ステップＳ２２２で、経路情報を通知する旨を表す情報、ステップＳ２２１で生成した経路情報、及び自装置の端末ＩＤを含む経路通知信号を、ＬＡＮインターフェース２４及びインターネット３経由で警備センタ装置４に対して送信する。その後、ステップＳ２２３で、監視区間設定手段２１２は、ステップＳ２２１で生成した経路情報を記憶部２２に記憶させる。
【００９７】
警備センタ装置４が警備端末装置２から経路通知信号を受信すると、図６のステップＳ４２でＹＥＳに進み、監視区間抽出処理（ステップＳ４３）が開始される。図７を参照し、警備センタ装置４の経路情報登録手段４１０は、ステップＳ４３１で、警備端末装置２から受信した経路通知信号に含まれる端末ＩＤ及び経路情報を抽出し、抽出した端末ＩＤと経路情報とを対応づけたレコードを新たに作成して経路情報データベース４２１に登録する。
【００９８】
次に、ステップＳ４３２で、監視区間抽出手段４１１は、所定規則に従い、経路通知信号を送信した警備端末装置２（以下、「対象端末装置」と呼ぶ）の監視区間を抽出する処理を行う。監視区間抽出手段４１１は、まず、対象端末装置の経路情報すなわち新たに登録された経路情報が表すＩＰアドレスの列において前後するＩＰアドレスを組にすることで、対象端末装置の経路情報が表す通信経路を単位区間の情報に区分する。例えば、受信した経路情報が「ＴＭ１，ＮＷ４，ＮＷ２，ＮＷ１，ＧＣ」である場合、これを「（ＴＭ１，ＮＷ４），（ＮＷ４，ＮＷ２），（ＮＷ２，ＮＷ１），（ＮＷ１，ＧＣ）」という４つの単位区間に区分する。
【００９９】
続いて、監視区間抽出手段４１１は、監視区間データベース４２２を参照し、対象端末装置と警備センタ装置４との間の通信経路に含まれる単位区間のそれぞれについて、監視区間データベース４２２にすでに登録されている監視区間に含まれる単位区間と重複するか否かを判定する。そして、重複すると判定された単位区間を通信経路から削除し、残った単位区間の集合を対象端末装置の監視区間とする。さらに、監視区間抽出手段４１１は、割当対象の警備端末装置２の監視区間に含まれる装置のＩＰアドレスのうち、対象端末装置と警備センタ装置４との間の通信経路において最も対象端末装置から離れた位置にある終点装置のＩＰアドレスを抽出する。
【０１００】
以上、対象端末装置の通信経路から、監視区間データベース４２２にすでに登録されている他の警備端末装置２の監視区間を削除して、残った区間を対象端末装置の監視区間として抽出するという規則に従い、互いに重複しない監視区間が抽出される。
【０１０１】
ステップＳ４３３で、監視区間送信手段４１４は、対象端末装置の監視区間に含まれる装置のＩＰアドレスのうち、対象端末装置から最も離れた位置にある終点装置のＩＰアドレスを、監視区間情報として要求信号の送信元である警備端末装置２に送信する。
【０１０２】
次に、ステップＳ４３４で、監視区間抽出手段４１１は、ステップＳ４３２で得られた監視区間を単位区間で表す情報と、経路通知信号の送信元である警備端末装置２の端末ＩＤと、を対応づけたレコードを監視区間データベース４２２に登録する。その後、警備センタ装置４における処理は、図６のステップＳ４４に進む。
【０１０３】
警備端末装置２は、警備センタ装置４から監視区間情報を受信すると、監視区間設定手段２１２において、受信した監視区間情報を記憶部２２に記憶させる（ステップＳ２２４）。その後、警備端末装置２における処理は、図５のステップＳ２３に進む。
【０１０４】
以下、図７を参照して以上で説明した処理の具体例として、図１に例示する警備システム１において、警備端末装置２−１，２−２，２−３，２−４の順に、警備端末装置２を警備センタ装置４と新規に接続する場合に、各警備端末装置２の監視区間を抽出するときの処理の例について説明する。
【０１０５】
図４（ａ）は、４つの警備端末装置２について監視区間が抽出された後の経路情報データベース４２１の内容を示すものとし、図４（ｂ）は、このときの監視区間データベース４２２の内容を示すものとする。
【０１０６】
まず、警備端末装置２−１の監視区間を新規に抽出するときの処理について説明する。
【０１０７】
警備端末装置２−１の通信経路検出手段２１１は、経路情報「ＴＭ１，ＮＷ４，ＮＷ２，ＮＷ１，ＧＣ」を生成する（図７のステップＳ２２１）。次に、警備端末装置２−１の監視区間設定手段２１２は、ステップＳ２２１で生成した経路情報、及び自装置の端末ＩＤ「１」を、警備センタ装置４に経路通知信号として送信する（図７のステップＳ２２２）。警備センタ装置４の監視区間抽出手段４１１は、受信した経路情報と端末ＩＤとを対応づけたレコード４２１１を経路情報データベース４２１に登録する（図７のステップＳ４３１）。次に、監視区間抽出手段４１１は、受信した経路情報を４つの単位区間「（ＴＭ１，ＮＷ４），（ＮＷ４，ＮＷ２），（ＮＷ２，ＮＷ１），（ＮＷ１，ＧＣ）」に区分する。警備端末装置２−１が接続された時点では監視区間データベース４２２に監視区間は１つも記憶されていないため、監視区間抽出手段４１１は、４つの単位区間のすべてを警備端末装置２−１の監視区間として抽出する（ステップＳ４３３）。続いて、監視区間抽出手段４１１は、警備端末装置２−１の監視区間の終点装置（警備センタ装置４）のＩＰアドレス「ＧＣ」を抽出し、監視区間送信手段４１４は、これを監視区間情報として警備端末装置２−１に送信する（ステップＳ４３３）。さらに、上述の４つの単位区間と端末ＩＤ「１」とを対応付けたレコード４２２１を監視区間データベース４２２に登録する。
【０１０８】
次に、警備端末装置２−２の監視区間を新規に抽出するときの処理について説明する。以下、警備端末装置２−１のときと同様の説明は省略する。警備端末装置２−２の通信経路検出手段２１１が生成する経路情報は「ＴＭ２，ＮＷ４，ＮＷ２，ＮＷ１，ＧＣ」であり、この経路情報と警備端末装置２−２の端末ＩＤ「２」を対応づけたレコード４２１２が警備センタ装置４の経路情報データベース４２１に追加される。この経路情報を区分した４つの単位区間「（ＴＭ２，ＮＷ４），（ＮＷ４，ＮＷ２），（ＮＷ２，ＮＷ１），（ＮＷ１，ＧＣ）」のうち、監視区間データベース４２２にすでに登録されているレコード４２２１に含まれる監視区間と重複する３つの単位区間「（ＮＷ４，ＮＷ２），（ＮＷ２，ＮＷ１），（ＮＷ１，ＧＣ）」は削除され、レコード４２２１に含まれる監視区間と重複しない単位区間「（ＴＭ２，ＮＷ４）」が、警備端末装置２−２の監視区間として抽出される。そして、この監視区間の終点装置（中継装置５−４）のＩＰアドレス「ＮＷ４」が抽出され、監視区間情報として警備端末装置２−２に送信される。さらに、警備端末装置２−２の監視区間と端末ＩＤ「２」とを対応づけたレコード４２２２が監視区間データベース４２２に追加登録される。
【０１０９】
警備端末装置２−３についても同様にして、経路情報「ＴＭ３，ＮＷ５，ＮＷ２，ＮＷ１，ＧＣ」と端末ＩＤ「３」とを対応付けたレコード４２１３が経路情報データベース４２１に追加され、この経路情報を区分した単位区間から、監視区間データベース４２２にすでに登録されているレコード４２２１，４２２２に含まれる監視区間と重複する単位区間が削除され、残りの単位区間「（ＴＭ３，ＮＷ５），（ＮＷ５，ＮＷ２）」が監視区間として抽出され、この監視区間と端末ＩＤ「３」とを対応づけたレコード４２２３が監視区間データベース４２２に追加登録される。また、監視区間情報として、ＩＰアドレス「ＮＷ２」が警備端末装置２−３に送信される。
【０１１０】
警備端末装置２−４についても同様にして、経路情報「ＴＭ４，ＮＷ６，ＮＷ３，ＮＷ１，ＧＣ」と端末ＩＤ「４」とを対応づけたレコード４２１４が経路情報データベース４２１に追加され、この経路情報を区分した単位区間から、監視区間データベース４２２にすでに登録されているレコード４２２１，４２２２，４２２３に含まれる監視区間と重複する単位区間が削除され、残りの単位区間「（ＴＭ４，ＮＷ６），（ＮＷ６，ＮＷ３），（ＮＷ３，ＮＷ１）」が監視区間として抽出され、この監視区間と端末ＩＤ「４」とを対応づけたレコード４２２４が監視区間データベース４２２に追加登録される。また、監視区間情報として、ＩＰアドレス「ＮＷ１」が警備端末装置２−４に送信される。
【０１１１】
以上で説明した処理により、警備端末装置２のそれぞれには、互いに重複しない監視区間が設定される。各監視区間は互いに重複しないので、各監視区間を高い頻度で監視してもインターネット３上の特定の装置や区間に通信負荷が集中しない。さらに、全監視区間を合わせると警備センタ装置４と警備端末装置２とを結ぶ全通信経路が網羅されている。そのため、警備端末装置２が増加し警備システム１が大規模化しても信頼性の高い監視を維持することができる。
【０１１２】
また、新規の警備端末装置２をインターネット３に接続すれば当該端末に自動的に監視区間が設定されるので、手間が要らず人為的ミスによる監視漏れが生じない保守性に優れた警備システム１を構築できる。
【０１１３】
再び図６を参照し、ステップＳ４４で、制御部４１は、経路変化通知信号を警備端末装置２から受信しているか否かを確認する。この経路変化通知信号は、警備端末装置２の処理手順の例を示す図５のフローチャートの経路変化確認処理（ステップＳ３０）において、警備端末装置２と警備センタ装置４との間の通信経路に変化があると警備端末装置２が判定した場合に、警備センタ装置４に対して送信される。経路変化通知信号を受信している場合（ステップＳ４４にてＹＥＳ）、監視区間再抽出処理（ステップＳ４５）が行われ、受信していない場合（ステップＳ４４にてＮＯ）、監視区間再抽出処理（ステップＳ４５）を行わずに処理はステップＳ４６に進む。
【０１１４】
ステップＳ４５で、監視区間再抽出手段４１２は、監視区間データベース４２２に登録されたすべての警備端末装置２のレコードのそれぞれについて、再び監視区間を抽出する処理を行う。
【０１１５】
図８は、監視区間の再抽出に関して、警備センタ装置４及び警備端末装置２のそれぞれが行う処理の手順の例を示すフローチャートである。
【０１１６】
図８を参照し、警備端末装置２の処理（ステップＳ３０１〜Ｓ３０６）は、図５に例示するフローチャートの経路変化確認処理（ステップＳ３０）に対応し、警備センタ装置４の処理（ステップＳ４５１〜Ｓ４５４）は、図６に例示するフローチャートの監視区間再抽出処理（ステップＳ４５）に対応する。
【０１１７】
ステップＳ３０１で、警備端末装置２の監視区間更新手段２１３は、通信経路検出手段２１１に対して通報先である警備センタ装置４のＩＰアドレスＧＣを記憶部２２から読み出し、自装置２と警備センタ装置４との間にて通信を行う通信経路を表す経路情報を生成する。ステップＳ３０１の通信経路検出処理は、図７を参照して上記で説明したステップＳ２２１の経路検出処理と同様である。次に、ステップＳ３０２で、監視区間更新手段２１３は、ステップＳ３０１で生成した経路情報と、記憶部２２に記憶されている経路情報（すなわち、前回の経路検出手段２１１による経路検出処理によって生成された経路情報）と、を比較する。ステップＳ３０２での比較の結果、両者が一致すれば通信経路に変化がないと判定し（ステップＳ３０３にてＮＯ）、両者が一致しなければ通信経路に変化があると判定する（ステップＳ３０３にてＹＥＳ）。
【０１１８】
ステップＳ３０３の判定でＮＯに進むと、警備端末装置２における処理は、図５に例示するフローチャートのステップＳ２３に戻る。
【０１１９】
ステップＳ３０３の判定でＹＥＳに進むと、警備端末装置２の監視区間更新手段２１３は、経路変化を通知する旨を表す情報、ステップＳ３０１で生成した経路情報、及び自装置の端末ＩＤを含む経路変化通知信号を、ＬＡＮインターフェース２４及びインターネット３経由で警備センタ装置４に対して送信する（ステップＳ３０４）。その後、ステップＳ３０５で、監視区間更新手段２１３は、ステップＳ３０１で生成された経路情報を記憶部２２に記憶させる。
【０１２０】
警備センタ装置４が警備端末装置２から経路変化通知信号を受信すると、図６のステップＳ４４でＹＥＳに進み、監視区間再抽出処理（ステップＳ４５）が開始される。警備センタ装置４の経路情報登録手段４１０は、ステップＳ４５１で、まず、経路変化通知信号に含まれる端末ＩＤ及び経路情報を抽出する。そして、経路情報データベース４２１において、抽出した端末ＩＤに対応するレコードに、経路変化通知信号から抽出した経路情報を当該レコードの経路情報として上書きする更新登録を行う。
【０１２１】
次に、ステップＳ４５２で、監視区間再抽出手段４１２は、監視区間データベース４２２に登録されたすべての警備端末装置２について、それぞれの監視区間の再抽出を実行する。各警備端末装置２と警備センタ装置４との間の通信経路において、どの警備端末装置２にも監視されない区間が生じないようにするためである。ステップＳ４５２では、監視区間再抽出手段４１２は、まず、監視区間データベース４２２の複製を作成して記憶部４２に記憶させ、元の監視区間データベース４２２のレコードをすべて削除する。次に、監視区間再抽出手段４１２は、経路情報データベース４２１からレコードを１つ読み出し、当該レコードに含まれる経路情報を単位区間に区分する。次に、この区分した単位区間のうち、監視区間データベース４２２にすでに記憶されている監視区間と重複しない単位区間を、当該レコードに含まれる端末ＩＤに対応する警備端末装置２の監視区間とする。そして、この監視区間と、経路情報データベース４２１から読み出した当該レコードに含まれる端末ＩＤと、を対応づけたレコードを、監視区間データベース４２２に登録する。以上の処理を、経路情報データベース４２１に登録されたすべてのレコードについて順次行う。
【０１２２】
以上、図７の監視区間抽出処理（ステップＳ４３２）と同様の規則に従い、すべての警備端末装置２について、互いに重複しない監視区間が再抽出される。
【０１２３】
続くステップＳ４５３で、監視区間送信手段４１４は、監視区間に変化のあった警備端末装置２を抽出する。つまりステップＳ４５２における更新後の監視区間データベース４２２と、複製しておいた更新前の監視区間データベース４２２と、を比較し、監視区間の一致しないレコードの端末ＩＤを特定する。
【０１２４】
次に、ステップＳ４５４で、監視区間送信手段４１４は、更新後の監視区間データベース４２２を参照し、ステップＳ４５３で特定された端末ＩＤに対応するレコードに含まれる監視区間の終点装置を表すＩＰアドレスを、新たな監視区間情報として、その端末ＩＤに対応する警備端末装置２へインターネット３経由で送信する。その後、警備センタ装置４における処理は、図６に例示するフローチャートのステップＳ４６へ進む。
【０１２５】
警備端末装置２は、警備センタ装置４から監視区間情報を受信すると、ステップＳ３０６で、警備端末装置２の監視区間更新手段２１３は、受信した監視区間情報を記憶部２２に記憶させる。その後、警備端末装置２における処理は、図５に例示するフローチャートのステップＳ２３へ戻る。
【０１２６】
以下、図８を参照して以上で説明した処理の具体例として、図１に例示する警備システム１において、図４に示す内容のデータが経路情報データベース４２１及び監視区間データベース４２２に記憶されている場合に、警備端末装置２−１の通信経路が、「ＴＭ１，ＮＷ４，ＮＷ２，ＮＷ１，ＧＣ」から、「ＴＭ１，ＮＷ４，ＮＷ７，ＮＷ８，ＮＷ１，ＧＣ」に変化した場合に行われる処理の例について説明する。ここで、ＮＷ７，ＮＷ８は、それぞれ、図１に示さない中継装置５−７，５−８のＩＰアドレスを表すものとする。
【０１２７】
図９は、警備端末装置２−１の通信経路の上述の変化に伴って、図８を参照して説明した処理が行われた後の、経路情報データベース４２１のデータ内容（図９（ａ））、監視区間データベース４２２のデータ内容（図９（ｂ））、及び監視区間の模式図（図９（ｃ））を示す。
【０１２８】
図８を参照し、警備端末装置２−１の通信経路検出手段２１１により、経路情報「ＴＭ１，ＮＷ４，ＮＷ７，ＮＷ８，ＮＷ１，ＧＣ」が生成される（ステップＳ３０１）。この経路情報は、記憶部２２にすでに記憶されている経路情報「ＴＭ１，ＮＷ４，ＮＷ２，ＮＷ１，ＧＣ」と一致しないため、監視区間更新手段２１３は、通信経路に変化があったと判定し（ステップＳ３０２，３０３）、ステップＳ３０１で生成した経路情報及び端末ＩＤ「１」を警備センタ装置４へ送信する（ステップＳ３０４）。また、生成した経路情報を記憶部２２に記憶させる（ステップＳ３０５）。
【０１２９】
警備センタ装置４の経路情報登録手段４１０は、警備端末装置２−１から受信した経路情報を経路情報データベース４２１のレコード４２１１に上書き登録する（ステップＳ４５１）。
【０１３０】
次に、監視区間再抽出手段４１２は、監視区間データベース４２２の内容（図４（ｂ）参照）を複製した上で、元の監視区間データベース４２２のレコードを全て削除する。
【０１３１】
その後、監視区間再抽出手段４１２は、経路情報データベース４２１からレコード４２１１を読み出し、警備端末装置２−１の監視区間を抽出する。この時点では、監視区間データベース４２２は空であるため、警備端末装置２−１と警備センタ装置４との間の通信経路に含まれるすべての単位区間「（ＴＭ１，ＮＷ４），（ＮＷ４，ＮＷ７），（ＮＷ７，ＮＷ８），（ＮＷ８，ＮＷ１），（ＮＷ１，ＧＣ）」が警備端末装置２−１の監視区間として抽出され、監視区間データベース４２２にレコード４２２１として登録される。
【０１３２】
次に経路情報データベース４２１のレコード４２１２に含まれる経路情報が表す通信経路の単位区間のうち、監視区間データベース４２２にすでに登録されているレコード４２２１に含まれない単位区間「（ＴＭ２，ＮＷ４），（ＮＷ４，ＮＷ２），（ＮＷ２，ＮＷ１）」が抽出され、監視区間データベース４２２にレコード４２２２として登録される。
【０１３３】
続いて、経路情報データベース４２１のレコード４２１３から監視区間データベース４２２のレコード４２２１，４２２２に含まれない区間「（ＴＭ３，ＮＷ５），（ＮＷ５，ＮＷ２）」が抽出され、監視区間データベース４２２にレコード４２２３として登録される。
【０１３４】
続いて、経路情報データベース４２１のレコード４２１３に含まれる経路情報が表す通信経路の単位区間のうち、監視区間データベース４２２にすでに登録されているレコード４２２１，４２２２，４２２３に含まれない区間「（ＴＭ４，ＮＷ６），（ＮＷ６，ＮＷ３），（ＮＷ３，ＮＷ１）」が抽出され、監視区間データベース４２２にレコード４２２４として登録される（以上、ステップＳ４５２）。
【０１３５】
監視区間送信手段４１４は、ステップＳ４５２における更新後の監視区間データベース４２２のデータ内容（図９（ｂ））と、更新前の監視区間データベース４２２のデータ内容（図４（ｂ））と、を比較して、監視区間が変化した警備端末装置２を特定する（ステップＳ４５３）。図４（ｂ）及び図９（ｂ）を参照すると、監視区間が変化したのは、警備端末装置２−１及び２−２である。よって、ステップＳ４５４で、監視区間送信手段４１４は、警備端末装置２−１及び２−２のそれぞれに対して、新たな監視区間情報として、それぞれの監視区間の終点装置のＩＰアドレス「ＧＣ」及び「ＮＷ１」を送信する。
【０１３６】
以上で説明した処理によりインターネット３にて生じた経路変化に即して修正された監視区間が再設定される。これにより、経路変化が生じても監視漏れや無意味な監視が発生せず、信頼性の高い監視を維持できる。
【０１３７】
再び図６を参照し、ステップＳ４６で、制御部４１は、入力部４３から端末情報を削除する指示が入力されているか否かを確認する。この削除指示は、例えば、警備契約の解除などにより、警備端末装置２の一部を警備システム１から撤去する場合に、管制員が入力部４３を操作して入力する。この削除指示は、該当する警備端末装置２の端末ＩＤを指定する情報を含む。削除指示が入力されている場合（ステップＳ４６にてＹＥＳ）、端末情報削除手段４１３により端末情報削除処理（ステップＳ４７）を行い、削除指示が入力されていない場合（ステップＳ４６にてＮＯ）、端末情報削除処理を行わずにステップＳ４８に進む。
【０１３８】
ステップＳ４７で、端末情報削除手段４１３は、まず、経路情報データベース４２１及び監視区間データベース４２２を参照し、削除指示において指定された端末ＩＤを含むレコードを、それぞれのデータベースから削除する。次に、端末情報削除手段４１３は、図８を参照して説明したステップＳ４５７の全監視区間再抽出処理を行うことで、監視区間データベース４２２に登録されたすべての警備端末装置２のそれぞれについて、再び監視区間を抽出し、監視区間データベース４２２の内容を更新する。そして、監視区間送信手段４１４は、この更新によって監視区間に変化のあったレコードの端末ＩＤを抽出し（図８のステップＳ４５３と同様の処理）、抽出した端末ＩＤに対応する警備端末装置２に対して、更新後の監視区間の終点装置のＩＰアドレスを監視区間情報として送信する（図８のステップＳ４５４と同様の処理）。警備端末装置２は、図８のステップＳ３０６の処理と同様に、更新された監視区間情報を受信して記憶部２２に記憶する。
【０１３９】
以上により警備端末装置２の削除があっても、監視漏れを生じることなく信頼性の高い監視を維持できる。
【０１４０】
ステップＳ４８では、制御部４１は、通信異常を表す異常信号を警備端末装置２から受信しているか否かを確認する。異常信号を受信している場合（ステップＳ４８にてＹＥＳ）、通信異常処理手段４１５によりステップＳ４９の通信異常時処理が行われ、異常信号を受信していない場合（ステップＳ４８にてＮＯ）、通信異常時処理を行わずにステップＳ４０に戻る。
【０１４１】
図１０は、通信異常時処理（図６のステップＳ４９）の詳細手順の例を示すフローチャートである。図６のステップＳ４９の処理が開始されると、図１０に例示するフローチャートの処理が開始される。
【０１４２】
図１０を参照し、ステップＳ４９１で、通信異常処理手段４１５は、図６のステップＳ４８で受信した異常信号の送信元の警備端末装置２に割り当てられた監視区間を取得する。ステップＳ４９１において、通信異常処理手段４１５は、受信した異常信号に含まれる端末ＩＤを抽出し、抽出した端末ＩＤを含むレコードを監視区間データベース４２２から読み出すことで監視区間を取得する。
【０１４３】
次に、ステップＳ４９２で、通信異常処理手段４１５は、ステップＳ４９１で取得した監視区間に含まれる中継装置５のそれぞれに対して、例えば上述のpingコマンドを実行し、警備センタ装置４と各中継装置５との間の通信状態を確認するポーリング処理を行う。この処理により、通信異常が検出された監視区間に含まれる中継装置５のうち、どの中継装置５に異常が発生しているかを特定する。
【０１４４】
ステップＳ４９３では、通信異常処理手段４１５は、処理対象の監視区間内に通信異常の発生している中継装置５が存在するか否かを判定する。ステップＳ４９２のポーリング処理においてタイムアウト時間内にEcho Replyパケットを送信してこなかった中継装置５が存在する場合は、通信異常の発生している中継装置５が存在すると判定され、処理はステップＳ４９４に進む。ステップＳ４９２のポーリング処理において、すべての中継装置５がタイムアウト時間内にEcho Replyパケットを送信してきた場合は、通信異常の発生している中継装置５は存在しないと判定され、処理はステップＳ４９６に進む。
【０１４５】
ステップＳ４９４では、通信異常処理手段４１５は、経路情報データベース４２１を参照し、ステップＳ４９２においてタイムアウト時間内にEcho Replyパケットを送信してこなかった中継装置５を経路情報に含むレコードを抽出し、抽出したレコードに含まれる端末ＩＤを取得する。
【０１４６】
次に、ステップＳ４９５で、ステップＳ４９４において抽出された端末ＩＤに対応する警備端末装置２のそれぞれに対して、例えば上述のpingコマンドを実行し、その警備端末装置２と警備センタ装置４との間の通信状態を確認するポーリング処理を行う。
【０１４７】
その後、ステップＳ４９６で、通信異常処理手段４１５は、警備端末装置２から通知された通信異常に関する情報を表示部４６に表示させる。例えば、通信異常を表す異常信号を送信してきた端末の端末ＩＤ、その端末ＩＤに関して警備対象データベースから取得された情報、ステップＳ４９２で各中継装置５に対して行われたポーリング処理でのEcho Replyパケットの受信の有無、及び、ステップＳ４９５で各警備端末装置２に対して行われたポーリング処理でのEcho Replyパケットの受信の有無、などの情報を表示させる。ステップＳ４９６において表示部４６に表示された情報を確認することで、管制員は、どの警備端末装置２に異常があるのか、どの中継装置５に異常があるのか、など、通信異常に関する具体的な状況を知ることができる。
【０１４８】
管制員は、警備対象の家人やプロバイダと連絡を取ったり、対処員を派遣したりするなど、通信異常の原因を取り除くための対処を行う。通信が復旧すると通信異常であった警備端末装置２は、記憶部２２に記憶している監視区間の監視を再開する。
【０１４９】
ステップＳ４９６の後、処理は、図６のステップＳ４０に戻る。
【０１５０】
以上で説明した実施形態では、警備センタ装置４は、監視区間情報として、終点装置のＩＰアドレスを警備端末装置２に対して送信する。他の実施形態では、警備センタ装置４は、警備端末装置２から終点装置までのホップ数を監視区間情報として警備端末装置２へ送信してもよい。
【０１５１】
この場合、警備端末装置２は、監視区間ポーリング処理（図５のステップＳ２６）において、監視区間情報として警備センタ装置４から受信して記憶部２２に記憶しておいたホップ数を指定し、センタアドレスを宛先としてpingコマンドを実行する。そして、タイムアウト時間内に応答信号（Echo Replyパケット）が受信されれば通信異常なしと判定し、タイムアウト時間内に応答信号（Echo Replyパケット）が受信されなければ通信異常ありと判定する。
【０１５２】
また、以上で説明した実施形態において、監視区間抽出処理（図７のステップＳ４３２）及び全監視区間再抽出処理（図８のステップＳ４５２）では、通信経路から監視区間データベース４２２にすでに存在する区間を除く規則に従って互いに重複しない監視区間を抽出したが、次のような規則により監視区間を抽出することもできる。
【０１５３】
すなわち、経路情報データベース４２１から読み出した経路情報に含まれるＩＰアドレスを警備端末装置２に近い順に取り出し、それぞれのＩＰアドレスが監視情報データベース４２２に存在しているか否かを確認し、存在することが初めて確認できた中継装置５のＩＰアドレスを監視区間の終点とする。なお、監視区間の始点は警備端末装置２であり、監視情報データベース４２２に存在するＩＰアドレスが無い場合はセンタアドレスＧＣが終点となる。
【０１５４】
また、以上で説明した実施形態において、通信経路の変化又は端末情報の削除に伴って行われる全監視区間再抽出処理（図８のステップＳ４５２）では、経路情報データベース４２１の各端末ＩＤのレコードに含まれる経路情報と、監視区間データベース４２２にすでに登録されているレコードに含まれる監視区間と、を比較する規則に従って、各警備端末装置２への監視区間の再抽出が行われる。かかる全監視区間抽出処理（図８のステップＳ４５２）の他の例では、監視区間データベース４２２に登録済みの情報を用いることなく、各警備端末装置２への監視区間の再抽出を行う。この例では、まず、経路情報データベース４２１に登録されたすべてのレコードに含まれる経路情報をそれぞれ単位区間に区分する。次に、１つの単位区間に着目し、当該単位区間を経路情報に含む警備端末装置２を経路情報データベース４２１から抽出する。そして、抽出された警備端末装置２のうち、予め定めた優先順位が最も高い警備端末装置２を特定し、着目した単位区間を当該警備端末装置２の監視区間として抽出し、監視区間データベース４２２に各警備端末装置２に対応させて抽出した監視区間を登録する。以上の処理を、経路情報データベース４２１に登録されたすべての単位区間のそれぞれについて行う。これにより、各警備端末装置２について、互いに重複しない監視区間が抽出される。
【０１５５】
優先順位は、例えば、端末ＩＤが小さいほど高いと定めることができる。また、通信異常の履歴を記録しておき、通信異常の回数が多い警備端末装置２の優先順位をより低く変更することで通信異常時処理（図６のステップＳ４９）の負荷を減じることができる。
【０１５６】
なお、上記実施形態では、警備端末装置２において、新規接続のときや経路変化を検出したときに経路情報を送信したが、さらに警備センタ装置４から任意のタイミングで受信した指示（例えば、サブネットワークの運営者から設定変更の連絡を受けた管制員が入力部４３を操作して出す指示）に応じて経路情報を送信することもできる。
【０１５７】
また、上記実施形態では警備システム１における通信を監視する例を示したが、本発明は、センタ装置と複数の端末装置とがネットワークを介して通信する種々の通信システムにおける通信の監視に適用することができる。
【０１５８】
また、上記実施形態ではインターネット３を介した通信を監視する例を示したが、本発明は、端末装置からセンタ装置への通信を中継する複数の中継装置を含んでなる種々のネットワークを介した通信の監視に適用することができる。
【図面の簡単な説明】
【０１５９】
【図１】警備システムの構成の例を示すブロック図である。
【図２】本発明の１つの実施形態における警備端末装置の構成の例を示すブロック図である。
【図３】本発明の１つの実施形態における警備センタ装置の構成の例を示すブロック図である。
【図４】本発明の１つの実施形態において、警備センタ装置が備える経路情報データベース及び監視区間データベースのデータ内容の例、及び、各警備端末装置に割り当てられる監視区間の例を示す図である。
【図５】本発明の１つの実施形態において、警備端末装置が行う処理の手順の例を示すフローチャートである。
【図６】本発明の１つの実施形態において、警備センタ装置が行う処理の手順の例を示すフローチャートである。
【図７】本発明の１つの実施形態において、新規の警備端末装置の監視区間を抽出する際に行われる処理の手順の例を示すフローチャートである。
【図８】本発明の１つの実施形態において、警備端末装置の監視区間を更新する際に行われる処理の手順の例を示すフローチャートである。
【図９】本発明の１つの実施形態において、警備センタ装置が備える経路情報データベース及び監視区間データベースのデータ内容の例、及び、各警備端末装置の監視区間の例を示す図である。
【図１０】本発明の１つの実施形態において、警備センタ装置が行う処理の部分的な手順の例を示すフローチャートである。
【符号の説明】
【０１６０】
１  警備システム、２  警備端末装置、３  インターネット、４  警備センタ装置、５  中継装置、６  センサ、７  センサＬＡＮ、８  携帯電話網、２１，４１  制御部、２２，４２  記憶部、２３  センサＬＡＮインターフェース、２４，４４  ＬＡＮインターフェース、２５，４５  副回線インターフェース、２６  報知部、４３  入力部、４６  表示部、２１１  通信経路検出手段、２１２  監視区間設定手段、２１３  監視区間更新手段、２１４  通信異常検出手段、２１５  通信異常出力手段、２１６  警報送信手段、４１０  経路情報登録手段、４１１  監視区間抽出手段、４１２  監視区間再抽出手段、４１３  端末情報削除手段、４１４  監視区間送信手段、４１５  通信異常処理手段、４１６  警報処理手段、４２１  経路情報データベース、４２２  監視区間データベース。
【図１】
2009100113.tif 000003
【図２】
2009100113.tif 000004
【図３】
2009100113.tif 000005
【図４】
2009100113.tif 000006
【図５】
2009100113.tif 000007
【図６】
2009100113.tif 000008
【図７】
2009100113.tif 000009
【図８】
2009100113.tif 000010
【図９】
2009100113.tif 000011
【図１０】
2009100113.tif 000012